(57)【要約】【課題】省スペースの効果を向上できたマウスを提供する。【解決手段】本考案は折り畳み可能なマウスを開示し、このマウスは、上筐体と、下筐体と、該上筐体の上枢設端が該下筐体の下枢設端に枢設されるとともに、該上筐体が該下筐体で該下筐体に対し且つ水平面の枢軸に平行に回動できるように該上筐体の開口に設置される枢設機構と、該上筐体の開口を閉じる蓋板とを含む。【選択図】  図３
0003170982.tif 000002
【実用新案登録請求の範囲】
【請求項１】
上開放端及び上枢設端を有し、該上枢設端が開口を有する上筐体と、
下開放端及び下枢設端を有する下筐体と、
該上筐体の上枢設端が該下筐体の下枢設端に枢設されるとともに、該上筐体が該下筐体で該下筐体に対し且つ水平面の枢軸に平行に回動できるように該上筐体の開口に設置される枢設機構とを含むことを特徴とする折り畳み可能なマウス。
【請求項２】
該上筐体は該枢軸を介して該上開放端と該下開放端が重なり合う収納位置に回動できることを特徴とする請求項１に記載のマウス。
【請求項３】
該上筐体が該枢軸を介して該上開放端と該下開放端が対向する展開位置に回動できることを特徴とする請求項１に記載のマウス。
【請求項４】
該上筐体の外形は、該上筐体が該展開位置にある時、該上筐体の上開放端が延伸し該マウス後方の移動平面に当接して構造的な支持を提供するように設計されることを特徴とする請求項３に記載のマウス。
【請求項５】
該上下両筐体の境界に設置される電力スイッチ機構をさらに含み、該電力スイッチ機構は該収納位置の時にOFF状態となり、該展開位置の時にON状態となることを特徴とする請求
項２又は３に記載のマウス。
【請求項６】
該電力スイッチ機構は該上下両筐体にそれぞれ設置される接触片であり、該展開位置の時に該両接触片が互いに電気的に導通することを特徴とする請求項５に記載のマウス。
【請求項７】
該電力スイッチ機構は該上筐体及び該下筐体にそれぞれ設置される突起部及びマイクロスイッチであり、該展開位置の時に該突起部が該マイクロスイッチに接触すると、該マイクロスイッチが切り換ることを特徴とする請求項５に記載のマウス。
【請求項８】
複数の位置決め機構をさらに含み、それら位置決め機構は該収納位置及び該展開位置の時に該上下両筐体を固定することを特徴とする請求項２又は３に記載のマウス。
【請求項９】
それら位置決め機構は該上筐体及び該下筐体にそれそれ設置される互いに対応する磁石又は係合特徴であることを特徴とする請求項８に記載のマウス。
【請求項１０】
該上筐体の開口を閉じる蓋板をさらに含むことを特徴とする請求項１に記載のマウス。
【請求項１１】
該下筐体には少なくとも一つの操作インタフェースが設置されていることを特徴とする請求項１に記載のマウス。
【請求項１２】
該操作インタフェースはボタン又はスクロール機構であることを特徴とする請求項１１に記載のマウス。
【請求項１３】
該操作インタフェースはタッチ式制御機構であることを特徴とする請求項１１に記載のマウス。
【請求項１４】
該下筐体は光学感知器をさらに有し、該光学感知器は赤外線式又はレーザ式であることを特徴とする請求項１に記載のマウス。
【請求項１５】
該下筐体は電池モジュールをさらに有し、該電池モジュールはリチウム電池又は単４形電
池(AAA)であることを特徴とする請求項１に記載のマウス。
【請求項１６】
該マウスは有線マウス又は無線マウスであり、その無線マウスの無線規格は2.4GHz又はブルートゥースであることを特徴とする請求項１に記載のマウス。
【考案の詳細な説明】
【技術分野】
【０００１】
本考案はマウスに関し、具体的には折り畳み可能なマウスに関する。
【背景技術】
【０００２】
現在のノート型パソコンが薄く作られ、非常に多くの使用者がノート型パソコンのトラックパッドなどの操作制御機構に慣れないので、携帯されるマウスによりノート型パソコンを操作することが多い。このため、多種の薄型マウスは開発されている。薄型マウスは携帯性及び軽量化との特長を有するだけでなく、一般のデスクトップパソコン用のマウスの提供できるグリップ感及び操作制御性をも兼ねる必要がある。現在、業界は薄型マウスがこれら特性を兼ねるように機構設計の面に工夫を入れることが多い。
【０００３】
例えば、特許文献１に一種の薄型マウスが開示されており、その構造の後方の筐体が接続部材を介して回動することにより、元々扁平状をしていた薄型マウスは、人間工学に基づくグリップ面の角度を有する使用形態に変形することができる。しかし、該マウスの構造が変形により扁平形態と使用形態との間で変換できるが、その変形が形状上の変化を提供するだけであり、実際に省スペースの効果が低い。
【先行技術文献】
【特許文献】
【０００４】
【特許文献１】台湾特許出願公告第I327287号明細書
【０００５】
ゆえに、現在、業界は新規な折り畳み型マウスの設計を必要として省スペースの効果に達する必要がある。
【考案の概要】
【考案が解決しようとする課題】
【０００６】
現在のマウス及びノート型パソコンの發展に鑑みて、本考案の目的は新規な折り畳み可能なマウスを提供することにあり、そのマウスは折り畳み可能な本体を有し、これにより、マウスが未使用状態でコンパクトな形態に収納されて携帯に適し、使用の際には本体を人間工学に基づく操作制御形態に展開することができるので、携帯性及びファッション性を兼ねる新規な設計である。
【課題を解決するための手段】
【０００７】
本考案の折り畳み可能なマウスは、上開放端及び上枢設端を有し、該上枢設端が開口を有する上筐体と、下開放端及び下枢設端を有する下筐体と、該上筐体の上枢設端が該下筐体の下枢設端に枢設されるとともに、該上筐体が該下筐体で該下筐体に対し且つ水平面の枢軸に平行に回動できるように該上筐体の開口に設置される枢設機構とを含む。
【０００８】
本考案の他の態様において、その構造に付加の電力スイッチ機構をさらに設置してもよく、これによりマウスの収納状態と展開状態との間で電源のON/OFFの切換を行うことができるので、構造技術及び電子技術を統合した設計である。
【考案の効果】
【０００９】
本考案によれば、省スペースの効果を向上することができる。
【００１０】
読者は後述する実施例及び図面を読んだ後、本考案の他の目的、特徴及び特長をより理解できる。
【図面の簡単な説明】
【００１１】
【図１Ａ】本考案による実施例の折り畳み可能なマウスの収納状態にある側面図である。
【図１Ｂ】本考案による実施例の折り畳み可能なマウスの収納状態にある上面図である。
【図２Ａ】本考案による実施例の折り畳み可能なマウスの展開状態にある側面図である。
【図２Ｂ】本考案による実施例の折り畳み可能なマウスの展開状態にある上面図である。
【図３】本考案による実施例の上筐体が下筐体で枢軸に対して回動するときの上面模式図である。
【図４】本考案による実施例のマイクロスイッチの斜視図である。
【図５】本考案による実施例において図４に示す該マイクロスイッチが装着されたマウスの上面模式図であり、上筐体が下筐体で枢軸に対して回動するときの態樣を示す。
【考案を実施するための形態】
【００１２】
本考案の多種の態樣は本考案の理想的な構成の図面を参照して説明する。それら図面の形状が製造技術、設計及び/又は公差によって異なることは予想できる。したがって、本考
案の各種の態様は本考案の構造を特定の要素又は形状に制限するためのものとみなされるべきではない。各種の態様は製造による形状上の相違を含む。例えば、矩形の要素はその縁部分で辺長要素から連続でない他の辺長要素に変化するのではなく、円形又は円弧の特徴を有する及び/又は勾配を有する可能性がある。ゆえに、図面に示される要素は例示の
性質であり、その形状は要素の正確な形状でもないし、本考案の実用新案登録請求の範囲を制限するものでもない。
【００１３】
さらに、「下」又は「底」及び「上」又は「頂」などの相対性の用語を用いて図面に示されるある要素と他の要素との関係を示すことができる。読者は、それら用語の意味合いが図面に示される方位以外の方位を含むことを理解できる。例えば、図面に示される構造が反転されると、他の要素の「下方」に本来あったある要素は他の要素の「上方」にあることとなる。ゆえに、「下方」の意味合いは「下方」及び「上方」を含み、その構造の特定の方位によって決められる。同様に、図面に示される構造が反転されると、他の要素「の下」又は「の底の下」に本来あったある要素は他の要素「の上」にあることとなる。ゆえに、「の下」又は「の底の下」の意味合いも「の上」及び「の下」を含む。
【００１４】
定義があったときを除き、すべての用語(技術的及び科学的な用語を含む)は、本考案の属する技術の分野における通常の知識を有する者の認識する意味合いを含む。読者は、このような用語(例えば常用の辞書で定義されるもの)が関連技術及び本明細書の用語の意味合いに一致すると解釈されるべきであることを理解できる。明確に定義を示したときを除き、本明細書における「含む」は特徴、個体、ステップ、操作、要素及び/又はユニットな
どのものを示すための用語であるが、もう一つ又は多くの他の特徴、個体、ステップ、操作、要素、ユニット及び/又はそのグループなどのものの存在を排除しない。「及び/又は」は、一つ又は多くの関連項目のいずれ及びすべての組合せを含む。
【００１５】
本考案の折り畳み可能なマウスの外形は回動機構を介して筐体の収納状態と展開状態との間で変換して携帯性及びファッション性を兼ねる。
【００１６】
まず、図１A及び図１Bを参照されたい。これら図面は本考案による実施例の折り畳み可能なマウスの収納状態の側面図及び上面図である。図１A及び図１Bに示すように、本考案の折り畳み可能なマウス100は主に上筐体101及び下筐体111からなっている。該下筐体111は
細長いブロック構造であり、マウス100のベース部分とされ、基本的な構造性支持を提供
し、且つマウス100の構成要素(例えば、回路板、ローラ、無線モジュール及び/又は電池)の受容空間を提供する。下筐体111の前端は下開放端113であり、その上に、例えば複数のボタン及びスクロール機構(例えばローラ又はタッチ式制御機構)などの少なくとも一つの操作インタフェースが選択的に設置される。下筐体111の後端は下枢設端115であり、該下筐体111は該下枢設端115で上筐体101に枢設されている。該下筐体111は下枢設端115から
下開放端113に向かって段々薄くなって人間工学に基づくマウスの外形を形成する。
【００１７】
また、図１A及び図１Bを参照されたい。上筐体101は細長く薄いカバーであり、マウス100の手ひら支えとされ、使用時に(すなわち展開状態で)使用者の手ひらを支えることができる。該上筐体101の外形は下筐体111の上表面にならうように設計され、上筐体101が収納
状態で下筐体111の上表面に重なり合って、コンパクトな外形設計であり、下筐体111に設置される制御要素(例えば、ボタン及びスクロール機構)を覆って保護できる。上筐体101
の前端は上開放端103であり、下筐体111の輪郭に沿って下筐体111の下開放端113の外側まで延伸し、下筐体111の底面117と同一平面になっている。上筐体101の後端は上枢設端105であり、該上筐体101は該上枢設端105で下筐体111に枢設される。
【００１８】
図１Bに示すように、上筐体101の上枢設端105の付近に円形の開口107があり、該開口107
に枢設機構(未図示)が設置されて上筐体101の上枢設端105が下筐体111の下枢設端115に枢設され、これにより、該上筐体101が該下筐体111で該下筐体111に対して且つ水平面の枢
軸に平行に回動でき、このメカニズムは後述する実施例においてさらに説明する。実施例において円形の蓋板109をさらに設置してもよく、該蓋板109が該上筐体101の開口107を閉じて該開口107及びその中に設置される枢設機構及び電力スイッチ機構などの要素を遮り
、後述する実施例ではさらなる説明がある。
【００１９】
現在、図２Ａ及び図２Ｂを参照されたい。これら図面は本考案による実施例の折り畳み可能なマウスの展開状態の側面図及び上面図である。これら図面に示すように、収納状態で下筐体111に本来重なり合っていた上筐体101は枢軸を介して展開位置に180 ー水平に回動すると、その上開放端103が下筐体111の下開放端113に対向する位置にある。上筐体101が回動した後、その下方の、下筐体111に設置されたボタン121やスクロール機構123が露出
する。このとき、マウスは長手方向の長さが収納状態のときより長い細長い構造に展開し、その展開後の長さは、使用者が手ひらを該上筐体101に置き、指で下筐体111におけるボタンを操作できるように設計されている。図２Ａに示すように、下筐体111の輪郭になら
うだけでなく、該上筐体101の外形は、展開状態に回動すると、該上筐体の上開放端が延
伸し且つ該マウス後方の移動平面に当接し且つ下筐体111の底面と同一平面となるように
設計されて、マウスの使用時の構造性支持を提供し、且つマウスが移動平面を安定に移動できる。
【００２０】
図３を参照されたい。この図面は本考案による実施例の上筐体101が下筐体111で枢軸を介して回動するときの上面模式図であり、図３において蓋板109を取り除いて開口107内に設置された要素を示す。前述のように、上筐体101の開口107内に枢設機構124が設置されて
該上筐体101が該下筐体111に枢設される。該枢設機構124は例えば枢軸部材である。該枢
設機構124を介して、収納状態に本来あった上筐体101は、マウス100の移動平面に平行す
る方向(例えば矢印R1に示す)に枢軸を介して展開位置に180 ー回動できる。さらに、該開口107内に電力スイッチ機構が設置されてもよく、その目的は上述した上筐体101の回動によってマウスの作動の有無を決めることにある。図３に示すように、下筐体111の、上筐
体101の開口107内の部分に接触片125が設置されており、該接触片125はマウス内部の回路板にカップリングされ、且つ上筐体101の回動に伴って移動することがない。上筐体101の開口107の側壁には対応する接触片127aが別個設置されており、該接触片127aはマウス内
部の電源モジュールにカップリングされ、上筐体101の収納状態ではマウスの右側に位置
している。上筐体101が枢軸を介して展開位置に180 ー回動すると、接触片127aがマウス
の左側(破線部で示される部分127b)に位置し、この位置では下筐体111の接触片125が上筐体101の接触片127bに電気的に接触して電源の導通によりマウスが作動する。このように
、上述した電力スイッチ機構の設計は、マウスを収納位置の時に電源OFFの状態に、展開
位置の時に電源ONの状態にすることができ、このメカニズムは内部電池を使用したマウス100の無線設計の時に高い実用性を有し、使用者がマウスを使用するときにマウスを展開
状態にし、この動作はマウスをも起動できる。
【００２１】
本考案の上述した実施例では、回動を介して接触片を電気的に導通させることによりマウス100の電源切換を行う。しかし、本考案の他の実施例では、マウス100が他種の装置を介して同様な効果を達成してもよい。図４及び図５を参照されたい。これら図面は、本考案の他の実施例において電源の切換を行うためのマイクロスイッチ130の斜視図及び、該マ
イクロスイッチ130が装着されたマウス100の、上筐体101が下筐体111で枢軸を介して回動するときの上面模式図である。図４に示すように、マイクロスイッチ130は本体133の上面の一側から他側に斜めに延伸するレバー131を有し、レバー131の末端に転動可能な接触部材135が設置され、且つ該レバー131の中間部分は本体133の上面に設置されたプランジャ137に支持されている。レバー131の末端の接触部材135が被感知物（例えば突起部）と接触することで、レバー131は本体133の方向（図の矢印R2に示す方向）に動く。この動きによりレバー131の中間部分がその下方のプランジャ137を押圧してプランジャ137が移動する
。マイクロスイッチ130の底部には複数のピン139が設置され、これらピン139はマウスの
回路板に電気的に接続されるためのものである。プランジャ137が移動すると、マウスの
回路板の電源が切り換る。
【００２２】
図５を参照されたい。本考案の実施例では、上述したマイクロスイッチ130は下筐体111の、上筐体101の開口107内の上面に設置され、上筐体101の回動に伴い移動することがない
。上筐体101の開口107の内縁側壁に突起部が形成され、この突起部は上筐体101が下筐体111に収納された状態でマウスの真右側に位置する（符号141a）。上筐体101が向こう側の
展開位置(破線及び矢印R3に示される)に180 ー回動すると、該突起部141aがこの回動に伴いマウスの真左側に位置することになる（符号141b）。この展開状態で、突起部141bは下筐体111に固定されたマイクロスイッチ130の接触部材135を回動に伴い押圧することによ
り、プランジャ137を移動させてマウスの回路板に対して電源の切換を行えるように設計
される。
【００２３】
上述した構造のほか、マウスが収納状態と展開状態との間で変換するので、実施例において上筐体101と下筐体111との境界に複数の位置決め機構(未図示)がさらに設置されてもよく、これら位置決め機構は例えば、該上筐体と該下筐体との境界にそれぞれ設置される互いに対応する磁石又は係合特徴である。磁性吸引又は係合等のメカニズムにより、これら位置決め機構は該上下両筐体の収納位置及び展開位置のときに該上下両筐体を固定してマウスを使用者の望む状態に保持することができる。
【００２４】
上述した実施例と図面は読者が本考案の各種の実施例について全面的に理解できるように作成されている。これら図面及び説明は、前述した構造又は方法を利用した装置及びシステムにおけるすべての要素及び特徴を完全に説明するためのものではない。本考案の開示を参考にすれば、本考案の属する技術の分野における通常の知識を有する者は本考案の多くの他の実施例を知ることができる。本考案の範疇から逸脱しない限り、本考案は構造及び論理上で置換及び変更を行ってもよい。例えば、本考案の折り畳み可能なマウスは有線伝送規格(例えば、PS/2又はUSB)や無線伝送規格(例えば、2.4GHz又はブルートゥース)を
採用してもよい。無線伝送を使用した態樣では、マウス内部の電池モジュールがリチウム電池又は単４形電池(AAA)規格を採用してマウスに電気エネルギを提供してもよい。さら
に、マウスの下筐体にはマウスの移動を感知する光学感知器が設置され、該光学感知器は
例えば赤外線式又はレーザ式である。なお、図面は縮尺に依り描いたものではなく、説明を補助するためのものである。図面においてある部分が拡大強調され、他の部分が簡略化される可能性がある。したがって、本考案は、その開示及び図面によって制限されず、上述した実用新案登録請求の範囲により制限される。
【符号の説明】
【００２５】
100    マウス
101    上筐体
103    上開放端
105    上枢設端
107    開口
109    蓋板
111    下筐体
113    下開放端
115    下枢設端
117    底面
121    ボタン
123    スクロール機構
124    枢設機構
125    接触片
127a   接触片
127b   接触片
130    マイクロスイッチ
131    レバー
133    本体
135    接触部材
137    プランジャ
139    ピン
141a   突起部
141b   突起部
【図１Ａ】
0003170982.tif 000003
【図１Ｂ】
0003170982.tif 000004
【図２Ａ】
0003170982.tif 000005
【図２Ｂ】
0003170982.tif 000006
【図３】
0003170982.tif 000007
【図４】
0003170982.tif 000008
【図５】
0003170982.tif 000009
【手続補正書】
【提出日】平成23年8月9日(2011.8.9)
【手続補正１】
【補正対象書類名】実用新案登録請求の範囲
【補正対象項目名】全文
【補正方法】変更
【補正の内容】
【実用新案登録請求の範囲】
【請求項１】
上開放端及び上枢設端を有し、該上枢設端が開口を有する上筐体と、
下開放端及び下枢設端を有する下筐体と、
該上筐体の上枢設端が該下筐体の下枢設端に枢設されるとともに、該上筐体が該下筐体で該下筐体に対し且つ水平面の枢軸に平行に回動できるように該上筐体の開口に設置される枢設機構とを含むことを特徴とする折り畳み可能なマウス。
【請求項２】
該上筐体は該枢軸を介して該上開放端と該下開放端が重なり合う収納位置に回動できることを特徴とする請求項１に記載のマウス。
【請求項３】
該上筐体が該枢軸を介して該上開放端と該下開放端が対向する展開位置に回動できることを特徴とする請求項１に記載のマウス。
【請求項４】
該上筐体の外形は、該上筐体が該展開位置にある時、該上筐体の上開放端が延伸し該マウス後方の移動平面に当接して構造的な支持を提供するように設計されることを特徴とする請求項３に記載のマウス。
【請求項５】
該上下両筐体の境界に設置される電力スイッチ機構をさらに含み、該電力スイッチ機構は該収納位置の時にOFF状態となることを特徴とする請求項２に記載のマウス。
【請求項６】
該上下両筐体の境界に設置される電力スイッチ機構をさらに含み、該電力スイッチ機構は該展開位置の時にON状態となることを特徴とする請求項３に記載のマウス。
【請求項７】
該電力スイッチ機構は該上下両筐体にそれぞれ設置される接触片であり、該展開位置の時に該両接触片が互いに電気的に導通することを特徴とする請求項６に記載のマウス。
【請求項８】
該電力スイッチ機構は該上筐体及び該下筐体にそれぞれ設置される突起部及びマイクロスイッチであり、該展開位置の時に該突起部が該マイクロスイッチに接触すると、該マイクロスイッチが切り換ることを特徴とする請求項６に記載のマウス。
【請求項９】
複数の位置決め機構をさらに含み、それら位置決め機構は該収納位置の時に該上下両筐体を固定することを特徴とする請求項２に記載のマウス。
【請求項１０】
複数の位置決め機構をさらに含み、それら位置決め機構は該展開位置の時に該上下両筐体を固定することを特徴とする請求項３に記載のマウス。
【請求項１１】
それら位置決め機構は該上筐体及び該下筐体にそれそれ設置される互いに対応する磁石又は係合特徴であることを特徴とする請求項９又は１０に記載のマウス。
【請求項１２】
該上筐体の開口を閉じる蓋板をさらに含むことを特徴とする請求項１に記載のマウス。
【請求項１３】
該下筐体には少なくとも一つの操作インタフェースが設置されていることを特徴とする請求項１に記載のマウス。
【請求項１４】
該操作インタフェースはボタン又はスクロール機構であることを特徴とする請求項１３に記載のマウス。
【請求項１５】
該操作インタフェースはタッチ式制御機構であることを特徴とする請求項１３に記載のマウス。
【請求項１６】
該下筐体は光学感知器をさらに有し、該光学感知器は赤外線式又はレーザ式であることを特徴とする請求項１に記載のマウス。
【請求項１７】
該下筐体は電池モジュールをさらに有し、該電池モジュールはリチウム電池又は単４形電池(AAA)であることを特徴とする請求項１に記載のマウス。
【請求項１８】
該マウスは有線マウス又は無線マウスであり、その無線マウスの無線規格は2.4GHz又はブルートゥースであることを特徴とする請求項１に記載のマウス。